(57)【要約】      （修正有）【課題】衛生物品を１つずつ個別包装することなく運送・保管することが可能で、かつ、店頭での販売時に衛生物品を１つずつ取り出し可能な収納容器を提供する。【解決手段】上面１１と、上面に向き合う底面１２と、上面及び底面の間に介在する周壁面１３とを備え、複数の衛生物品３０を、底面から上面に向かう高さ方向Ｈに積み重ねて収納可能な収納容器１０であって、周壁面に、切断されたとき衛生物品の取り出し口１４が形成される取出口切断誘導線が設けられ、取出口切断誘導線が、高さ方向において底面寄りの位置に、底面から離間して配置される。【選択図】図１
0003210673.tif 000002
【実用新案登録請求の範囲】
【請求項１】
上面と、前記上面に向き合う底面と、前記上面及び前記底面の間に介在する周壁面とを備え、複数の衛生物品を、前記底面から前記上面に向かう高さ方向に積み重ねて収納可能な収納容器であって、
前記周壁面に、切断されたときに前記衛生物品の取り出し口が形成される取出口切断誘導線が設けられ、前記取出口切断誘導線が、前記高さ方向において前記底面寄りの位置に、前記底面から離間して配置されることを特徴とする収納容器。
【請求項２】
前記取出口切断誘導線が屈曲又は湾曲した形状の線分であり、前記取出口切断誘導線に沿って前記周壁面を切断したとき、前記取出口切断誘導線で囲まれた領域が前記周壁面に連結している請求項１に記載の収納容器。
【請求項３】
前記周壁面に、切断されたときに前記高さ方向に延びる覗き窓が形成される覗き窓切断誘導線を備える請求項１又は２に記載の収納容器。
【請求項４】
前記上面が互いに重なり合う少なくとも２層のシート材で構成され、前記収納容器の最も外側に位置する前記シート材に、互いに並行して延びる一対の取手部切断誘導線により画定されるとともに、切り起こしたときに取っ手部を形成する取手部形成領域が設けられている請求項１〜３のいずれかに記載の収納容器。
【請求項５】
前記取り出し口の前記高さ方向における開口寸法が、前記収納容器に収納される状態における前記衛生物品の厚みの０．８〜３．０倍である請求項１〜４のいずれかに記載の収納容器。
【請求項６】
前記底面が、前記収納容器の内側に向けて切り起したときに突起部が形成される突起部切断誘導線を備える請求項１〜５のいずれかに記載の収納容器。
【請求項７】
前記周壁面が、一枚のシート部材の両端部を、前記シート部材の表面と裏面とが重なり合うように接合して筒状にすることにより形成され、前記両端部が重なり合う部分において前記収納容器の外側に位置する前記シート部材の端部に、切り起したときに前記周壁面にフック部を形成可能なフック部切断誘導線を有する請求項１〜６のいずれかに記載の収納容器。
【請求項８】
前記収納容器が段ボール紙で形成され、前記段ボール紙がコーティング処理された前記衛生物品に接する面を有する請求項１〜７のいずれかに記載の収納容器。
【請求項９】
前記衛生物品が、前記収納容器内に個別包装されずに収納されている請求項１〜８のいずれかに記載の収納容器。
【請求項１０】
前記衛生物品が胴回り開口部と股下域とを有するおむつであり、前記おむつが、前記胴回り開口部と前記股下域とが重なり合うように２つ折りにされるとともに、前記おむつの折り返し部が前記取り出し口側に向けられた状態で収納される、請求項１〜９のいずれかに記載の収納容器。
【考案の詳細な説明】
【技術分野】
【０００１】
本考案は、使い捨ておむつ等の衛生物品の物流及び店頭での販売に用いられる収納容器に関する。
【背景技術】
【０００２】
使い捨ておむつや生理用ナプキン等の衛生物品の物流及び販売は、次のような形態で行われることが多い。すなわち、製造工場で複数の衛生物品を集積包装した後、段ボール箱にまとめて収納し、倉庫等に一時保管した後ドラッグストア等の小売店に運送するか、又は直接小売店に運送する。小売店では、集積包装された状態のままの衛生物品を店頭に陳列して販売する。一般に、小売店の店頭で集積包装された衛生物品の包装を解き、小分けして販売することは行われていない。
【０００３】
しかし、消費者が常に複数個の衛生物品の購入を必要としているとは限らず、１〜２個程度の少量の衛生物品を必要に応じて購入することを希望している場合もある。このようなニーズを考慮して、特許文献１には、吸収性物品を一つずつ個別包装した包装体が複数連続し、包装体毎に切り離し可能な吸収性物品の連続包装体が提案されている。このような包装形態で衛生物品を販売することは、開発途上国や新興国を中心として広く行われており、消費者は包装体を切り離して必要な数の吸収性物品のみを購入できる。また、縦方向に連続した複数の包装体は、店舗内の適当な場所に引っ掛けて販売できるため、店舗スペースが狭い場合に都合がよい。
【先行技術文献】
【特許文献】
【０００４】
【特許文献１】特開２００１−３０１７４８号公報
【考案の概要】
【考案が解決しようとする課題】
【０００５】
しかし、特許文献１の包装体は、包材（フィルム）の縦横の長さを衛生物品よりも大きくする必要があるため、製造時に衛生物品を個別に包装するために必要な包材の量が集積包装の場合よりも多くなる。また、包装体を段ボール箱等の容器に収納する場合、衛生物品の縦方向及び横方向外側に包材が延び出しているので、集積包装の場合よりも同一容積内に充填できる衛生物品の個数が少なくなる。
【０００６】
以上に鑑み、本考案は、衛生物品を１つずつ個別包装することなく運送・保管することが可能で、かつ、店頭での販売時に衛生物品を１つずつ取り出し可能な収納容器を提供することを課題とする。
【課題を解決するための手段】
【０００７】
本考案は、上面と、上面に向き合う底面と、上面及び底面の間に介在する周壁面とを備え、複数の衛生物品を、底面から上面に向かう高さ方向に積み重ねて収納可能な収納容器に関する。
【０００８】
本考案の収納容器は、周壁面に、切断されたとき衛生物品の取り出し口が形成される取出口切断誘導線が設けられ、取出口切断誘導線が、高さ方向において底面寄りの位置に、底面から離間して配置されることを特徴とする。
【考案の効果】
【０００９】
本考案の収納容器は、切断されたとき衛生物品の取り出し口が形成される取出口切断誘導線が周壁面に設けられているので、小売店に配達されるまでは開口を形成する必要は無く、運送及び保管用の容器として使用することができる。一方、小売店での販売時には、店頭で取出口切断誘導線を切断して取り出し口を形成し、衛生物品を１つずつ取り出し可能な販売容器として使用することができる。これにより、衛生物品を１つずつ個別包装することなく運送・保管することが可能で、かつ、店頭での販売時に衛生物品を１つずつ取り出し可能な収納容器が提供される。
【図面の簡単な説明】
【００１０】
図面は、本考案の特定の実施の形態を示し、考案の不可欠な構成ばかりでなく、選択的及び好ましい実施の形態を含む。
【図１】本考案に係る収納容器の斜視図。
【図２】収納容器を形成する段ボールシートの展開図。
【図３】収納容器の使用状態を模式的に表す部分破断断面図。
【図４】収納容器の使用状態を模式的に表す部分破断断面図。
【考案を実施するための形態】
【００１１】
以下、衛生物品がおむつ３０である場合を例に、本考案の収納容器１０について説明する。図１は、収納容器１０の店頭での販売時における形状を模式的に表す斜視図である。本実施形態の収納容器１０の製造に用いられるシート部材は段ボール紙であり、収納容器１０は所定形状の段ボールシート２０から形成される。図２に、この段ボールシート２０を収納容器１０の内側となる面から見たときの展開図を示す。
【００１２】
収納容器１０は、上面１１と、上面１１に向き合う底面１２と、上面１１及び底面１２の間に介在する周壁面１３とを備える箱型形状を有し、複数のおむつ３０を底面１２から上面１１に向かう高さ方向Ｈに積み重ねて収納することができる。収納容器１０は周壁面１３に形成される取り出し口１４、覗き窓１５、フック部１８と、上面１１に形成される取っ手部１６と、底面１２に形成される突起部１７とを有する。おむつ３０は、個別包装されていなくてもよい。
【００１３】
取り出し口１４は収納容器１０からおむつ３０を取り出すための開口であり、高さ方向Ｈにおいて周壁面１３の底面１２寄りの位置に、底面１２から離間して配置されている。収納容器１０では底面１２に取り出し口１４が接していないので、収納容器１０の底面１２の強度が損なわれない。したがって、運送時及び店頭での販売時に、収納容器１０の変形が防止される。
【００１４】
取り出し口１４は、段ボールシート２０の周壁面１３となる部分に設けられた取出口切断誘導線２１を店頭で切断することにより形成される。別言すれば、収納容器１０は、取り出し口１４を形成する前にはおむつ３０の運送容器として使用でき、販売時には取り出し口１４を形成して陳列容器として使用できる。本実施形態では、おむつ３０は、胴回り開口部と股下域とが重なり合うように２つ折りにされた状態で、収納容器１０において高さ方向Ｈに積み重ねられている（図１参照）。また、収納容器１０の取り出し口１４には、２つ折りにされたおむつ３０の折り返し部が露出する。おむつ３０を収納容器１０から取り出すとき、おむつ３０の胴回り開口部を掴んで取り出すようにすると、誤っておむつ３０の肌に接する面に触れる恐れがある。おむつ３０の折り返し部を取り出し口１４に露出させ、この折り返し部を掴んで収納容器１０から取り出すようにすれば、誤っておむつ３０の肌に接する面に触れることはない。
【００１５】
図２に示すように、取出口切断誘導線２１は、段ボールシート２０の高さ方向Ｈにおいて底面１２寄りの位置に、底面１２から離間して形成されている。取出口切断誘導線２１はＵ字形、コ字形、逆Ｕ字形等の屈曲又は湾曲した形状の線分であり、取出口切断誘導線２１に沿って周壁面１３を切断したとき、取出口切断誘導線２１で囲まれた領域１４ａが周壁面１３に連結していることが好ましい。本実施形態では、取出口切断誘導線２１で囲まれた領域１４ａの上部が周壁面１３に連結している。これにより、周壁面１３を取出口切断誘導線２１に沿って切断した後、領域１４ａを蓋として機能させて、収納容器１０内への異物の侵入を防止することができる。取出口切断誘導線２１はミシン目でもよいし、周壁面１３を構成する段ボール紙を貫通しない深い切れ込みでもよいし、ミシン目と深い切れ込みとの組合せでもよい。
【００１６】
取り出し口１４の高さ方向Ｈにおける開口寸法は、収納容器１０に収納される状態におけるおむつ３０の厚みの０．８〜３．０倍であることが好ましい。取り出し口１４の開口寸法がこの寸法範囲内であれば、おむつ３０を容易に取り出すことができる。また、取り出し口１４の底面からの離間距離は、収納容器１０に収納される状態におけるおむつ３０の厚みの１〜２．０倍であることが好ましい。収納容器１０に収納される状態におけるおむつ３０の厚みは、公知の厚み測定装置により測定することができ、例えばＰＥＡＣＯＣＫ社製のＦＦＡ−１１型スタンドタイプ厚み測定装置（測定子直径２５．２ｍｍ、アンビル直径５０ｍｍ、測定力０．３５Ｎ、ＪＩＳ  Ｌ−１０８６準拠）を用いて測定することができる。おむつ３０を２つ折りにして収納容器１０に収納する場合、２つ折りにしたおむつ３０の胴回り開口部を下にしてアンビル上に置き、ｎ＝１０でおむつ３０の吸収体が存在する部分の厚みを測定して平均値を求める。
【００１７】
収納容器１０の上面１１に形成される取っ手部１６は、小売店で収納容器１０を吊り下げて販売容器として使用する際の吊り具として用いることができる。取っ手部１６は、店舗スペースが狭い小売店で特に有用である。この実施形態では、収納容器１０の上面１１を互いに重なり合う２層のシート材２３で構成し、収納容器１０の最も外側に位置する最外シート材２３ａに設けた取手部形成領域１６ａを収納容器１０の上面１１に対し起立させることにより、取っ手部１６が形成される。
【００１８】
詳しくは、２層のシート材２３は、一対の最外シート材２３ａと、上下方向において一対の一対の最外シート材２３ａの下に配置される内側シート材２３ｂとで構成される。一対の内側シート材２３ｂは、取り出し口１４が設けられる収納容器１０の正面の上端から延び出す小フラップと、収納容器１０の正面に対向する背面から延び出す大フラップとからなり、大フラップの形状は、収納容器１０の上面１１の形状にほぼ一致する。なお、収納容器１０の正面に大フラップを配置し、背面に小フラップを配置することもできる。一対の最外シート材２３ａは、それぞれ収納容器１０の両側面から延び出して、内側シート材２３ｂの大フラップの上に重ねられる。取手部形成領域１６ａは、一対の最外シート材２３ａのそれぞれに形成されており、取っ手部１６に対応する形状を有するとともに、互いに並行して延びる一対の取手部切断誘導線２４により画定される。店頭でこの取手部切断誘導線２４に沿って最外シート材２３ａを切断し、取手部形成領域１６ａを切り起こすことにより、取っ手部１６が形成される。
【００１９】
収納容器１０の上面１１は、最外シート材２３ａと、内側シート材２３ｂに含まれる大フラップとの少なくとも２層のシート材２３で構成されているので、取手部形成領域１６ａを形成するために最外シート材２３ａを取手部切断誘導線２４に沿って切断した後でも、上面１１の形状にほぼ一致する大フラップの存在により、上面１１に貫通孔が開くことはない。したがって、収納容器１０の上面１１から異物が進入して、収納容器１０内に収納されたおむつ３０が汚染されることが防止される。なお、図２に示した例では、シート材２３は段ボールシート２０の周壁面１３になる部分と一体に形成されているが、本考案はこれに限定されず、段ボールシート２０とは別体のシート材２３を用いることもできる。取手部切断誘導線２４はミシン目であってもよいし、最外シート材２３ａを貫通する切込みであってもよい。
【００２０】
本実施形態では、収納容器１０の周壁面１３は、段ボールシート２０の高さ方向Ｈに平行な両端部２０ａ，２０ｂを、表面と裏面とが重なり合うようにして接合して筒状（本実施形態では角柱状）にすることにより形成されている。段ボールシート２０の両端部２０ａ，２０ｂが重なり合う部分では、収納容器１０の外側に位置する端部２０ａに、切り起したとき周壁面１３にＬ字型のフック部１８を形成可能なフック部切断誘導線２６が設けられている。このフック部１８には、収納容器１０から取り出したおむつ３０を入れるプラスチックバッグを吊り下げておくことができる。フック部１８は収納容器１０の外側に位置する端部２０ａに形成されるので、フック部切断誘導線２６に沿って段ボールシート２０を切断した後でも、収納容器１０に貫通孔が開くことは無い。すなわち、フック部１８を切起こした後でも、収納容器１０内へ異物が侵入することはない。フック部切断誘導線２６はミシン目であってもよいし、段ボールシート２０の端部２０ａを貫通する切込みであってもよい。
【００２１】
収納容器１０の周壁面１３には、切断されたとき高さ方向Ｈに延びる覗き窓１５が形成される覗き窓切断誘導線２２が１以上設けられている。覗き窓１５は、図３に例示するように、収納容器１０内にある複数のおむつ３０の内の一つの位置がずれて周壁面１３に引っ掛かり、取り出し口１４におむつ３０が露出しない状態になった際に、収納容器１０内のおむつ３０を取り出し口１４に向けて押し下げるための開口である。また、収納容器１０内のおむつ３０の残量を確認するための点検口としても使用することができる。覗き窓１５は、収納容器１０の取り出し口１４と上面１１との間に１箇所以上配置することができる。また、覗き窓１５を収納容器１０の側面、又は背面に配置することもできる。
【００２２】
覗き窓切断誘導線２２はＵ字形、コ字形、逆Ｕ字形等の屈曲又は湾曲した形状の線分であり、覗き窓切断誘導線２２に沿って周壁面１３を切断したとき、覗き窓切断誘導線２２で囲まれた領域１５ａが周壁面１３に連結していることが好ましい。これにより、覗き窓切断誘導線２２を切断して覗き窓１５を形成した後、覗き窓切断誘導線２２で囲まれた領域１５ａを蓋として機能させて、収納容器１０内への異物の侵入を防止することができる。覗き窓切断誘導線２２は、ミシン目でもよいし、周壁面１３を構成する段ボール紙を貫通しない深い切れ込みでもよいし、ミシン目と深い切れ込みとの組合せでもよい。
【００２３】
また、図２，４に示すように、収納容器１０の底面１２に、収納容器１０の内側に向け切り起こしたとき突起部１７が形成される突起部切断誘導線２５を設けることができる。上記のように収納容器１０の取り出し口１４は底面１２から離間して配置されるので、収納容器１０の底部にあるおむつ３０は取り出し口１４より下に位置する。収納容器１０内におむつ３０が１つだけ残った状態になったときには、図４に示すように突起部１７を収納容器１０の内側に向け起立させることにより、おむつ３０を取り出し口１４から容易に取り出すことができる。このとき底面１２に開口が形成されるが、収納容器１０内にはおむつ３０は残っていないので、外部から異物が混入しておむつ３０が汚染される恐れはない。突起部切断誘導線２５は、屈曲又は湾曲した形状の線分であり、ミシン目で形成してもよいし、底面１２を構成する段ボール紙を貫通しない深い切れ込みとしてもよいし、ミシン目と深い切れ込みとの組合せとしてもよい。
【００２４】
本実施形態のように収納容器１０を段ボール紙から作る場合、段ボールシート２０がおむつ３０と接する面にコーティング処理を施すことが好ましい。おむつ３０を直接段ボール箱に入れると、おむつ３０と段ボール箱との接触により、おむつ３０が着色することがある。段ボールシート２０をコーティング処理することにより、おむつ３０の着色を防止できるだけでなく、おむつ３０を収納容器１０の内壁面に対し滑り易くすることもできる。コーティング処理は、水性ワニス、油性ワニス等の公知のコーティング剤を段ボールシート２０に塗布して行うことができる。また、段ボールシート２０にプラスチックフィルムを熱融着又は貼付することにより、コーティング処理することもできる。
【００２５】
以上の説明から明らかなように、収納容器１０は、小売店に配達されるまでは全く開口は形成されないので、おむつ３０を個別包装することなく収納容器１０内に収納して、運送及び保管用の容器として使用することができる。これにより、おむつ３０の製造工程において、個別包装工程を省略することができる。また、販売時には、店頭において取り出し口１４等の開口を形成して、おむつ３０を１つずつ取り出し可能な販売容器として使用することができる。また、周壁面１３に覗き窓１５を設ければ、収納容器１０内部でおむつ３０が引っ掛かった場合でもおむつ３０を取り出し口１４に向けて押し下げることができる。これにより、収納容器１０におむつ３０を充填するとき、おむつ３０と周壁面１３との隙間を、例えば数ｍｍ程度まで小さくすることが可能になる。したがって、収納容器１０を運送容器として使用するとき、個別包装の場合と比較して同一容積内に充填できる衛生物品の個数が増加するので、輸送効率が向上する。さらに、収納容器１０には、販売容器として使用する際に常時開放された状態となる開口は存在しないので、外部から収納容器１０内に異物が侵入して衛生物品が汚染されるおそれがない。
【００２６】
収納容器１０について、衛生物品がおむつ３０である場合を例にして説明したが、収納容器１０は、生理用ナプキン、ウェットティッシュ、母乳パッド等の衛生物品にも適用することができる。また、収納容器１０の製造に用いられるシート部材は段ボール紙に限られず、例えば厚みが０．２５ｍｍ以上のプラスチックのシート、厚紙、プラスチックを素材として製造されたプラ段等でもよい。また、厚みが０．２５ｍｍ未満のプラスチックのフィルムを用い、底部をガゼット折りにすることにより収納容器１０を製造することもできる。さらに、段ボールシート２０をコーティング処理する代わりに、衛生物品をプラスチック製の内袋に入れた後、収納容器１０に収納してもよい。また、個別に包装した衛生物品を収納容器１０に収納することもできる。
【００２７】
以上に記載した本考案に関する開示は、少なくとも下記の事項に整理することができる。
【００２８】
上面１１と、上面１１に向き合う底面１２と、上面１１及び底面１２の間に介在する周壁面１３とを備え、複数の衛生物品を、底面１２から上面１１に向かう高さ方向Ｈに積み重ねて収納可能な収納容器１０であって、周壁面１３に、切断されたときに衛生物品の取り出し口１４が形成される取出口切断誘導線２１が設けられ、取出口切断誘導線２１が、高さ方向Ｈにおいて底面１２寄りの位置に、底面１２から離間して配置される。
【００２９】
上記段落００２８に開示した本考案は、少なくとも下記の実施の形態を含むことができる。該実施の形態は、分離して又は互いに組み合わせて採択することができる。
（１）取出口切断誘導線２１が屈曲又は湾曲した形状の線分であり、取出口切断誘導線２１に沿って周壁面１３を切断したとき、取出口切断誘導線２１で囲まれた領域が周壁面１３に連結している。
（２）周壁面１３に、切断されたときに高さ方向に延びる覗き窓１５が形成される覗き窓切断誘導線２２を備える。
（３）上面１１が互いに重なり合う少なくとも２層のシート材２３で構成され、収納容器１０の最も外側に位置するシート材に、互いに並行して延びる一対の取手部切断誘導線２４により画定されるとともに、切り起こしたときに取っ手部１６を形成する取手部形成領域１６ａが設けられている。
（４）取り出し口１４の、衛生物品の高さ方向Ｈにおける開口寸法が、収納容器１０に収納される状態における衛生物品の厚みの０．８〜３．０倍である。
（５）底面１２が、収納容器１０の内側に向けて切り起したときに突起部１７が形成される突起部切断誘導線２５を備える。
（６）周壁面１３が、一枚のシート部材２０の両端部を、シート部材２０の表面と裏面とが重なり合うように接合して筒状にすることにより形成され、両端部が重なり合う部分において収納容器１０の外側に位置するシート部材２０の端部に、切り起したときに周壁面１３にフック部１８を形成可能なフック部切断誘導線２６を有する。
（７）収納容器が段ボール紙で形成され、段ボール紙がコーティング処理された衛生物品に接する面を有する。
（８）衛生物品が、収納容器内１０に個別包装されずに収納されている。
（９）衛生物品が胴回り開口部と股下域とを有するおむつであり、おむつが、胴回り開口部と股下域とが重なり合うように２つ折りにされるとともに、おむつの折り返し部が取り出し口側１４に向けられた状態で収納される。
【符号の説明】
【００３０】
１０    収納容器
１１    上面
１２    底面
１３    周壁面
１４    取り出し口
１５    覗き窓
１６    取っ手部
１６ａ  取手部形成領域
１７    突起部
１８    フック部
２０    段ボールシート（シート部材）
２０ａ  端部
２０ｂ  端部
２１    取出口切断誘導線
２２    覗き窓切断誘導線
２３    シート材
２４    取手部切断誘導線
２５    突起部切断誘導線
２６    フック部切断誘導線
３０    おむつ（衛生物品）
Ｈ      高さ方向
【図１】
0003210673.tif 000003
【図２】
0003210673.tif 000004
【図３】
0003210673.tif 000005
【図４】
0003210673.tif 000006